(57)【特許請求の範囲】
【請求項１】
あらかじめ上下方向及びこれと直交する左右方向が規定された基板と、その上に配列され個々に傾斜面を有する凸部の集合と、該傾斜面を被覆する光反射膜とからなり、上方向に沿って傾いた該凸部の傾斜面と下方向に沿って傾いた該凸部の傾斜面を合わせた面積が、左方向に沿って傾いた該凸部の傾斜面と右方向に沿って傾いた該凸部の傾斜面を合わせた面積より大きい拡散反射板の製造方法であって、
上下方向に所定間隔で配列し左右方向に延びるストライプパタンに合わせて第１の樹脂膜を基板に形成する第１工程と、
ストライプパタンの段差と重なる様に配列したドットパタンに合わせて第２の樹脂膜を基板に形成する第２工程と、
該基板を加熱して第２の樹脂膜を熱変形させ該段差にかかる傾斜面を有する凸部に加工する第３工程と、
該第２の樹脂膜の上から金属を堆積して光反射膜を形成する第４工程とを行なうことを特徴とする拡散反射板の製造方法。
【請求項２】
前記第２工程は、ストライプパタンの中心線に対して下方より上方に偏よった中心点を有するドットパタンに合わせて第２の樹脂膜を形成することを特徴とする請求項３記載の拡散反射板の製造方法。
【請求項３】
入射側に配置される前方基板と、所定の間隙を介して前方基板に接合し反射側に配置される後方基板と、該間隙内で前方基板側に位置する電気光学層と、該間隙内で後方基板側に位置する拡散反射層と、該前方基板側及び後方基板側の少くとも片方に形成され該電気光学層に電圧を印加する電極とを備え、上下左右方向に広がる画面を構成する反射型表示装置であって、
前記拡散反射層は、後方基板の上に配列され個々に傾斜面を有する凸部の集合と、該傾斜面を被覆する光反射膜とからなり、
各凸部は、上方向に沿って傾いた傾斜面と下方向に沿って傾いた傾斜面を合わせた面積が、左方向に沿って傾いた傾斜面と右方向に沿って傾いた傾斜面を合わせた面積より大きく、
前記拡散反射層は、上下方向に所定間隔で配列し左右方向に延びるストライプパタンに合わせて第１の樹脂膜を後方基板に形成する第１工程と、
ストライプパタンの段差と重なる様に配列したドットパタンに合わせて第２の樹脂膜を後方基板に形成する第２工程と、
該後方基板を加熱して第２の樹脂膜を熱変形させ該段差にかかる傾斜面を有する凸部に加工する第３工程と、
該第２の樹脂膜の上から金属を堆積して光反射膜を形成する第４工程とによって製造されたものであることを特徴とする反射型表示装置。
【請求項４】
前記拡散反射層は、上方向に沿って傾いた該凸部の傾斜面の面積が下方向に沿って傾いた該凸部の傾斜面の面積より大きいことを特徴とする請求項３記載の反射型表示装置。
【発明の詳細な説明】
【０００１】
【発明の属する技術分野】
本発明は反射型表示装置に関する。より詳しくは、反射型表示装置に組み込まれる拡散反射板及びその製造方法に関する。
【０００２】
【従来の技術】
図７を参照して従来の反射型表示装置の一例を簡単に説明する。これは反射型ゲストホスト液晶表示装置であり、例えば特開平６−２２２３５１号公報に開示されている。表示装置３０１は、前後一対の基板３０２及び３０３、ゲストホスト液晶層３０４、二色性色素３０５、前後一対の透明電極３０６及び３１０、前後一対の配向層３０７及び３１１、鏡面の光反射層３０８、四分の一波長板層３０９を含んで構成されている。一対の基板３０２及び３０３は、例えばガラス、石英、プラスチックなどの絶縁性を有する材料で構成されている。少くとも入射側に位置する前側の基板３０２は透明である。一対の基板３０２及び３０３の間隙には二色性色素３０５を含むゲストホスト液晶層３０４が保持されている。ゲストホスト液晶層３０４はネマティック液晶分子３０４ａを含んでおり、二色性色素３０５はその分子の長軸にほぼ平行な遷移双極子モーメントを有する、所謂ｐ型色素である。前側の基板３０２の内表面３０２ａには図示しないがスイッチング素子が集積形成されている。又、透明な電極３０６は画素電極としてマトリックス状にパタニングされており、対応するスイッチング素子により駆動される。更に、前側の基板３０２の内表面はポリイミド樹脂等からなる配向層３０７で被覆されている。この配向層３０７の表面は例えばラビング処理が施されており、ネマティック液晶分子３０４ａを水平配向している。一方、反射側に位置する後側の基板３０３の内表面３０３ａにはアルミニウム等からなる鏡面の光反射層１０８と、高分子液晶等からなる四分の一波長板層３０９とがこの順に形成されている。更に、四分の一波長板層３０９の上には対向電極となる透明電極３１０と配向層３１１とがこの順に形成されている。
【０００３】
続いて、この反射型ゲストホスト液晶表示装置３０１を用いて白黒表示を行なう場合の動作について簡潔に説明する。電圧無印加状態では、ネマティック液晶分子３０４ａは水平に配向しており、二色性色素３０５も同様に配向する。前側の基板３０２側から入射した光がゲストホスト液晶層３０４に進むと、入射光のうち二色性色素３０５の分子の長軸方向に対して平行な振動面を持つ成分が二色性色素３０５によって吸収される。また、二色性色素３０５の分子の長軸方向に対して垂直な振動面を持つ成分はゲストホスト液晶層３０４を通過し、後側の基板３０３の表面３０３ａに形成された四分の一波長板層３０９で円偏光とされて、光反射層３０８で鏡面反射する。この時、反射光の偏光が逆回りとなり、再び四分の一波長板層３０９を通過し、二色性色素３０５の分子の長軸方向に対して平行な振動面を持つ成分となる。この成分は二色性色素３０５によって吸収されるので完全な黒色表示となる。一方、電圧印加時にはネマティック液晶分子３０４ａは電界方向に沿って垂直に配向し、二色性色素３０５も同様に配向する。前側の基板３０２から入射した光は二色性色素３０５によって吸収されずにゲストホスト液晶層３０４を通過し、更に、四分の一波長板層３０９で影響を受けることなく光反射層３０８で正反射する。反射光は再び四分の一波長板層３０９を通過し、ゲストホスト液晶層３０４で吸収されずに出射する。従って白色表示となる。
【０００４】
【発明が解決しようとする課題】
反射型表示装置は光源を用いることなく外光をそのまま利用して画像を写し出すので、消費電力が少くて済み携帯用情報端末のディスプレイとして期待されている。反射型表示装置は液晶パネルに入射する外光を液晶層で制御することにより画像表示を行なう。反射型表示装置では電気光学層となる液晶以外に、もう一つの基本技術として反射板が挙げられる。即ち、反射型表示装置は外光を反射させる為に反射板が必要である。しかし、図７に示した様な従来例では鏡面反射板（光反射層３０８）を用いている為、観察者は照明光源の正反射方向にしか画像を観察することができない。光源の正反射方向では照明光量が強過ぎて幻惑感が生じ逆に観察しにくくなる。これを改善する為に従来から種々の拡散反射方式が提案されている。例えば後方基板に形成された鏡面反射板と対向する様に前方基板に散乱フィルムを装着する。散乱フィルムは透明な樹脂基材に屈折率の異なる微小な透明粒子を分散したものである。液晶パネルから反射した光はこの散乱フィルムを通ることで広い角度に拡散される。従って、点光源を用いても観察者は広い角度から表示画像を観察することができる。他の方法としては後方基板に鏡面反射板に代えて拡散反射板を装着する構造がある。この拡散反射板は表面に凹凸構造を有しており、液晶パネルに入射した光は傾斜角が多様に変化している凹凸反射面に当たり、色々な方向に反射される。これにより観察に十分な角度を持たせることができる。更には、後方基板にホログラム反射板を装着するとともに前方基板にホログラム散乱板を装着する構造もある。ホログラム散乱板は回折により光の出射角度を広範囲で変化させることができる。
【０００５】
しかしながら、上述した拡散反射方式はいずれも入射光を全方位に渡って均等に拡散する構造になっている。一般に反射型表示装置は液晶層に含まれる二色性色素あるいは前方基板に配置される偏光板、更にはカラーフィルタで光をかなり吸収する為、元々外光等の入射光に対して観察者に反射される光の割合が非常に小さい為画面が暗くなりがちである。これに加えて上記の様に拡散反射方式を採用すると入射光が全方位に拡散される為、観察者に向かって反射する光は劇的に低下する。この為、実用に耐える明るさのディスプレイを得ることができない。本発明は上述した非効率的な従来の拡散反射構造を改善することを目的とする。
【０００６】
【課題を解決する為の手段】
上述した従来の技術の課題を解決し本発明の目的を達成する為に以下の手段を講じた。
【０００７】
即ち本発明は、あらかじめ上下方向及びこれと直交する左右方向が規定された基板と、その上に配列され個々に傾斜面を有する凸部の集合と、該傾斜面を被覆する光反射膜とからなり、上方向に沿って傾いた該凸部の傾斜面と下方向に沿って傾いた該凸部の傾斜面を合わせた面積が、左方向に沿って傾いた該凸部の傾斜面と右方向に沿って傾いた該凸部の傾斜面を合わせた面積より大きい拡散反射板の製造方法であって、以下の工程により製造される。まず第１工程で、上下方向に所定間隔で配列し左右方向に伸びるストライプパタンに合わせて第１の樹脂膜を基板に形成する。第２工程で、ストライプパタンの段差と重なる様に配列したドットパタンに合わせて第２の樹脂膜を基板に形成する。第３工程で、該基板を加熱して第２の樹脂膜を熱変形させ該段差に係る傾斜面を有する凸部に加工する。最後に第４工程で、該第２の樹脂膜の上から金属を堆積して光反射膜を形成する。好ましくは、前記第２工程は、ストライプパタンの中心線に対して下方より上方に偏った中心点を有するドットパタンに合わせて第２の樹脂膜を形成する。
【０００８】
本発明は上述した拡散反射板を利用した反射型表示装置を包含する。即ち、本発明に係る反射型表示装置は、基本的な構成として、入射側に配置される前方基板と、所定の間隙を介して該前方基板に接合し反射側に配置される後方基板と、該間隙内で前方基板側に位置する電気光学層と、該間隙内で後方基板側に位置する拡散反射層と、該前方基板側及び後方基板側の少くとも片方に形成され該電気光学層に電圧を印加する電極とを備え、上下左右方向に広がる画面を写し出す。前記拡散反射層は、後方基板の上に配列され個々に傾斜面を有する凸部の集合と、該傾斜面を被覆する光反射膜とからなる。特徴事項として、各凸部は、上方向に沿って傾いた傾斜面と下方向に沿って傾いた傾斜面を合わせた面積が、左方向に沿って傾いた傾斜面と右方向に沿って傾いた傾斜面を合わせた面積より大きく、前記拡散反射層は、上下方向に所定間隔で配列し左右方向に延びるストライプパタンに合わせて第１の樹脂膜を後方基板に形成する第１工程と、ストライプパタンの段差と重なる様に配列したドットパタンに合わせて第２の樹脂膜を後方基板に形成する第２工程と、該後方基板を加熱して第２の樹脂膜を熱変形させ該段差にかかる傾斜面を有する凸部に加工する第３工程と、該第２の樹脂膜の上から金属を堆積して光反射膜を形成する第４工程とによって製造されたものである。好ましくは、前記拡散反射層は上方向に沿って傾いた該凸部の傾斜面の面積が下方向に沿って傾いた該凸部の傾斜面の面積より大きい。
【０００９】
本発明に係る拡散反射板は上下方向に位置する傾斜面の面積が左右方向に位置する傾斜面の面積より大きい。一般に、反射型表示装置を室内で用いる場合上方に照明光源が配され、観察者は下方に位置する。上方向からの照明光は前後に拡散され下方向に位置する観察者に届く。従って視野角が広い範囲で十分な光が反射される。一方、室内環境では左右方向には余り拡散する必要はない。従って、左右方向の傾斜面の面積を少くしている。この様に拡散板に上下方向と左右方向とで異方性を持たせることにより、照明光源から観察者に至る光の利用効率を顕著に改善している。
【００１０】
【発明の実施の形態】
以下図面を参照して本発明の実施の形態を詳細に説明する。図１は本発明に係る拡散反射板の製造方法を示す工程図である。本拡散反射板はあらかじめ上下方向及びこれと直交する左右方向が規定された基板と、その上に配列され個々に傾斜面を有する凸部の集合と、該傾斜面を被覆する光反射膜とからなる。係る構造を有する拡散反射板を製造する為、まず工程（Ａ）で、ガラスなどからなる基板１の上に、上下方向に所定間隔で配列し左右方向に伸びるストライプパタンに合わせて第１樹脂膜２を形成する。図では一画素分のみを切り出した平面形状及び断面形状を表わしている。具体的な形成方法としては、基板１の上に例えばフォトレジストを１μｍ以下の厚みで成膜する。次にストライプパタンを有するマスクを介してフォトレジスト（第１樹脂膜２）を露光した後、現像することでフォトレジストをストライプ状にパタニングする。即ち、本実施例ではフォトリソグラフィを用いて第１樹脂膜２をストライプ状にパタニングしている。１本のストライプ幅は例えば数μｍ程度である。なお、本発明はフォトリソグラフィに限られるものではなく例えばスクリーン印刷法により第１樹脂膜２をストライプパタンに形成することも可能である。次に工程（Ｂ）に進み、ストライプパタンの段差４と重なる様に配列したドットパタンに合わせて第２樹脂膜３を基板１に形成する。本実施例ではドットパタンはほぼ楕円形状を有し格子状に配列されている。重要な点は、ドットパタンがストライプパタンの段差４に掛かる様に、第１樹脂膜２の上に第２樹脂膜３を形成することである。第２樹脂膜３の形成もフォトレジストを用いたフォトリソグラフィを適用できる。フォトリソグラフィに代えてスクリーン印刷を適用してもよい。好ましくは、ストライプパタンの中心線に対して下方より上方に偏った中心点を有するドットパタンに合わせて第２樹脂膜３を形成している。即ち、第２樹脂膜３のドットパタンは第１樹脂膜２のストライプパタンの中央に重なって配されるのではなく、基板１の下方から上方に向かって（図面では右から左に向かって）オフセットしている。次に工程（Ｃ）で、基板１を加熱して第２樹脂膜３を熱変形させ、段差４にかかる傾斜面を有する凸部６に加工する。互いに重なった第１樹脂膜２及び第２樹脂膜３を融点もしくは軟化点以上で加熱することにより所謂リフローを行って上下方向に滑らかな傾斜面を有する凸部６を形成する。個々の凸部６はほぼ個々のドットパタンに対応することになる。最後に第２樹脂膜３の上からアルミニウム等の金属をスパッタもしくは真空蒸着により堆積して光反射膜５を形成する。以上の工程により、上下方向に位置する傾斜面の面積が左右方向に位置する傾斜面の面積より大きい拡散反射板を製造することができる。
【００１１】
図２は図１に示した製造方法により作成された拡散反射板の完成品状態を示す平面図（Ａ）並びに使用状態説明図（Ｂ）である。（Ａ）に示す様に、拡散反射板はあらかじめ上下方向及びこれと直交する左右方向が規定された基板を用いている。凸部６の集合が格子状に基板１の上に配列されている。個々の凸部６は上下左右方向に傾斜面を有する。特徴事項として、上下方向に位置する傾斜面の面積が左右方向に位置する傾斜面の面積より大きい。即ち、実質的に凸部６を構成する第２樹脂膜３はドット状でありその一部がストライプ状の第１樹脂膜２の段差４に掛かっている。この為、凸部６の傾斜面は左右方向に伸びる段差４の上下方向に沿って大きな傾斜面を有することになる。
【００１２】
（Ｂ）に示す様に、特に上下方向に位置する傾斜面のうち上方部分の面積が下方部分の面積より大きい。即ち、凸部６は上下方向に沿って切断した場合対称にならず、ドット状の第２樹脂膜３がストライプ状の第１樹脂膜２から上方に偏っている分、上方部分の傾斜面積が下方部分の傾斜面積より大きい。係る拡散反射板を表示装置に組み込んだ場合、室内環境では一般に画面の上方向に照明光源７０が位置し、下方向に観察者５０が位置することになる。この場合、上方向からの照明光は上下に散乱され、視野角が広い範囲で十分な光が反射され、下方向に位置する観察者５０に到達することになる。一方左右方向（紙面に垂直な方向）は室内環境で表示装置を用いる場合限り拡散する必要がないので傾斜面の面積を少くしている。この様に拡散反射板に形成された微細な凸部の傾斜面の面積に上下方向と左右方向とで異方性を持たせることにより、照明光の効率的な利用が可能になる。
【００１３】
図３は従来の拡散反射板の平面図（Ａ）と使用状態説明図（Ｂ）である。（Ａ）に示す様に、従来の拡散反射板は基本的に半球状の凸部６が格子状に配列した構造となっている。個々の凸部６は円形状にパタニングした樹脂膜３をリフローすることにより得られる。半球状の凸部６は上下左右方向共にほぼ等しい傾斜面積を有している。即ち、従来の拡散反射板では方位角と極角に対して反射面が均等に分布している。この様な球面に完全拡散光が入射した場合正面方向への反射光は強くなる。しかし、点光源下では拡散反射板に入射する光は全方向に均等に反射され、反射型表示装置の明るさに寄与する直接観察光は非常に少い。この様な拡散反射板は室内環境で使用する反射型表示装置には適していない。
【００１４】
図４は本発明に係る拡散反射板を組み込んだ反射型表示装置の一例を示す模式的な部分断面図である。本表示装置は所定の間隙を介して互いに接合した前後一対の基板１０１，１０２を用いて構成されている。前方基板１０１は入射側に位置しガラスなどの透明基材からなる。一方後方基板１０２は反射側に位置し、必ずしも透明材料を用いる必要はない。一対の基板１０１，１０２の間隙には電気光学層としてゲストホスト液晶層１０３が保持されている。このゲストホスト液晶層１０３は負の誘電異方性を有するネマティック液晶分子１０４を主体とし、且つ二色性色素１０５を所定の割合で含有している。前方基板１０１の内表面には対向電極１０６と配向層１０７が順に形成されている。対向電極１０６はＩＴＯなどの透明導電膜からなる。配向層１０７は例えばホリイミドフィルムからなり、ゲストホスト液晶層１０３を垂直配向している。電圧無印加状態でゲストホスト液晶層１０３は垂直配向に保たれ、電圧印加状態では水平配向に移行する。
【００１５】
後方基板１０２には少くとも、薄膜トランジスタ１０８からなるスイッチング素子と拡散反射層１０９と四分の一波長板層１１０と画素電極１１１とが形成されている。四分の一波長板層１１０は薄膜トランジスタ１０８や拡散反射層１０９の上に成膜されており、且つ薄膜トランジスタ１０８に連通するコンタクトホール１１２が設けられている。画素電極１１１はこの四分の一波長板層１１０の上にパタニングされている。従って、画素電極１１１と対向電極１０６との間でゲストホスト液晶層１０３に充分な電界を印加することが可能である。この画素電極１１１は四分の一波長板層１１０に開口したコンタクトホール１１２を介して薄膜トランジスタ１０８に電気接続している。
【００１６】
以下、個々の要素について具体的な説明を加える。本例では、四分の一波長板層１１０は一軸配向した高分子液晶膜で構成されている。この高分子液晶膜を一軸配向する為下地配向層１１３が用いられている。薄膜トランジスタ１０８及び拡散反射層１０９の凹凸を埋める為平坦化層１１４が介在しており、上述した下地配向層１１３はこの平坦化層１１４の上に形成される。そして、四分の一波長板層１１０もこの平坦化層１１４の表面に成膜されている。この場合、画素電極１１１は四分の一波長板層１１０及び平坦化層１１４を貫通して設けたコンタクトホール１１２を介して薄膜トランジスタ１０８に接続することになる。拡散反射層１０９は個々の画素電極１１１に対応して細分化されている。個々に細分化された部分は対応する画素電極１１１と同電位に接続されている。係る構成により、拡散反射層１０９と画素電極１１１との間に介在する四分の一波長板層１１０や平坦化層１１４に不要な電界が加わることがない。拡散反射層１０９は本発明に従って凸部１０９ａを備えており、その表面は光反射膜１０９ｂで被覆されている。前述した様に、個々の凸部１０９ａの傾斜面は上下左右方向に関し所望の異方性を備えている。拡散反射層１０９は異方性を有する凹凸反射面を備えており、入射光の鏡面反射を防止して画質の改善を図っている。画素電極１１１の表面を被覆する様に配向層１１５が形成されており、ゲストホスト液晶層１０３に接しその配向を制御している。本例では、この配向層１１５は対向する配向層１０７と一緒になって、ゲストホスト液晶層１０３を垂直配向している。最後に、薄膜トランジスタ１０８はボトムゲート構造を有しており、下から順にゲート電極１１６、ゲート絶縁膜１１７、半導体薄膜１１８を重ねた積層構造を有している。半導体薄膜１１８は例えば多結晶シリコンからなり、ゲート電極１１６と整合するチャネル領域は前側からストッパ１１９により保護されている。係る構成を有するボトムゲート型の薄膜トランジスタ１０８は層間絶縁膜１２０により被覆されている。層間絶縁膜１２０には一対のコンタクトホールが開口しており、これらを介してソース電極１２１及びドレイン電極１２２が薄膜トランジスタ１０８に電気接続している。これらの電極１２１及び１２２は例えばアルミニウムをパタニングしたものである。ドレイン電極１２２は拡散反射層１０９と同電位になっている。又、画素電極１１１は前述したコンタクトホール１１２を介してこのドレイン電極１２２と電気接続している。一方、ソース電極１２１には信号電圧が供給される。
【００１７】
図５は本発明に係る拡散反射板を用いた反射型表示装置の他の例を示す模式図である。本例は偏光子を１枚用いた方式の反射型表示装置である。図示する様に、この反射型表示装置は前から順に偏光子２０４、補償用の位相差フィルム２００、電気光学層としての液晶２３０、拡散反射板２０８を重ねたものである。偏光子２０４の透過軸を２０４ａで示す。なお、吸収軸はこの透過軸２０４ａと直交することになる。又、補償用の位相差フィルム２００は一軸性の複屈折材料からなり、その光軸を２００ａで表わす。液晶２３０はＴＮ（ツイストネマティック）モード、ＳＴＮ（スーパーツイストネマティック）モードあるいはＯＣＢ（オプティカリーコンペンゼイテッドベンド）モード等を採用できる。入射光は偏光子２０４により直線偏光に変換される。液晶２３０は四分の一波長板として機能し、直線偏光を円偏光に変換する。円偏光は拡散反射板２０８により反射した後、再び液晶２３０を通過する。この結果、円偏光は直線偏光になる。但し、反射直線偏光は入射直線偏光に対して振動方向が９０度回転している。この為、出射直線偏光は偏光子２０４により吸収される。従って、黒表示が得られる。液晶２３０に電圧を印加して四分の一波長板としての機能を失わせると、入射直線偏光は振動方向を変えることなくそのまま拡散反射板２０８で反射され偏光子２０４を通過することになる。これにより、白表示が得られる。拡散反射板２０８は本発明に従って個々に傾斜面を有する凸部の集合と該傾斜面を被覆する光反射膜とからなる。各凸部の上下方向に位置する傾斜面の面積が左右方向に位置する傾斜面の面積より大きく設定されている。
【００１８】
図６は本発明に係る拡散反射層を用いた反射型表示装置の別の例を示している。本発明に係る拡散反射層はパネルの内部に形成されている。この実施例はハイルマイヤー型ゲストホスト液晶表示装置であり、（Ａ）は電圧無印加状態を表わし、（Ｂ）は電圧印加状態を表わしている。この反射型表示装置はｐ型色素と誘電異方性が正のネマティック液晶（Ｎｐ液晶）を用いている。ｐ型の二色性色素は分子軸にほぼ平行な吸収軸を持っており、分子軸に平行な偏光成分Ｌｘを強く吸収し、それに垂直な偏光成分Ｌｙはほとんど吸収しない。（Ａ）に示す電圧無印加状態では、入射光に含まれる偏光成分Ｌｘがｐ型色素により強く吸収され、表示装置は着色する。これに対し、（Ｂ）に示す電圧印加状態では、誘電異方性が正のＮｐ液晶が電界に応答して立ち上がり、これに合わせてｐ型色素も垂直方向に整列する。この為、偏光成分Ｌｘはわずかに吸収されるだけで拡散反射層により反射され、表示装置はほぼ白色を呈する。入射光に含まれる他方の偏光成分Ｌｙは電圧印加状態及び電圧無印加状態のいずれであっても二色性色素によって吸収されることはほとんどない。従って、ハイルマイヤー型ゲストホスト液晶表示装置では、あらかじめ１枚の偏光板を介在させ、他の偏光成分Ｌｙを取り除き、コントラストの改善を図っている。
【００１９】
【発明の効果】
上述したように、本発明によれば、拡散反射板は画面の上下方向に位置する反射傾斜面の面積が画面の左右方向に位置する反射傾斜面の面積より大きくなっている。係る構成を有する拡散反射板を用いることによって、照明光を効率よくパネルの外に出射させることが可能になり、従来の拡散反射板に比べると明るく且つ観察しやすい反射型表示装置が実現できる。
【図面の簡単な説明】
【図１】本発明に係る拡散反射板の製造方法を示す工程図である。
【図２】本発明に係る拡散反射板の形状並びに使用方法を示す説明図である。
【図３】従来の拡散反射板の形状並びに使用方法を示す説明図である。
【図４】本発明に係る拡散反射板を組み込んだ表示装置の一例を示す部分断面図である。
【図５】本発明に係る拡散反射板を用いた表示装置の他の例を示す模式図である。
【図６】本発明に係る拡散反射板を内蔵した表示装置の別の例を示す模式図である。
【図７】従来の反射型表示装置の一例を示す断面図である。
【符号の説明】
１・・・基板、２・・・第１樹脂膜、３・・・第２樹脂膜、４・・・段差、５・・・光反射膜、６・・・凸部
【図１】
0003783379.tif 000002
【図２】
0003783379.tif 000003
【図３】
0003783379.tif 000004
【図４】
0003783379.tif 000005
【図５】
0003783379.tif 000006
【図６】
0003783379.tif 000007
【図７】
0003783379.tif 000008